【事件の表示】
　特許第２８６７６８０号「固体撮像装置の駆動方法」の特許に対する特許異議の申立てについて、次のとおり決定する。
【結　論】
　訂正を認める。
　特許第２８６７６８０号の特許を維持する。
【理　由】
　１　手続の経緯
　本件に係る特許第２８６７６８０号の特許請求の範囲（請求項の数１）に記載された発明は、平成２年１０月１７日に出願され、平成１０年１２月２５日にその特許の設定登録がなされ、その後、特許異議の申立がなされ、取消理由通知がなされ、その指定期間内である平成１２年８月８日に訂正請求がなされたものである。
　
　２　訂正の適否について
　(1)訂正明細書に係る発明
　訂正明細書に係る発明は、訂正明細書の特許請求の範囲（請求項の数１）に記載された次に掲げるとおりのもの（以下「本件発明」という。）である。
　【本件発明】
「水平及び垂直方向にてマトリクス状に２次元配列された複数画素と、第１及び第２の信号保持手段とを具備し、前記複数画素の各々が、入射光量に応じて蓄積された信号電荷を貯えるストレージと、このストレージと共に１ビットのＣＣＤを構成する出力ゲートと、この出力ゲートを通して前記ストレージから出力される信号電荷を増幅して出力する増幅用ＭＯＳトランジスタと、この増幅用ＭＯＳトランジスタのゲート電極とリセットドレイン信号線との間に接続されるとともに、リセットゲート信号線にゲート電極が接続されたリセット用ＭＯＳトランジスタとを有してなる固体撮像装置の駆動方法であって、
　水平ブランキング期間において垂直方向の隣り合う２画素の各受光部の増幅出力を前記第１及び第２の信号保持手段にそれぞれ保持させ、
　前記第１及び第２の信号保持手投の各保持出力を順次読み出す
　ことを特徴とする固体撮像装置の駆動方法」
　
　(2)訂正の要旨の適否
　上記訂正は、「複数画素の各々」が「入射光量に応じて蓄積された信号電荷を貯えるストレージと、このストレージと共に１ビットのＣＣＤを構成する出力ゲートと、この出力ゲートを通して前記ストレージから出力される信号電荷を増幅して出力する増幅用ＭＯＳトランジスタと、この増幅用ＭＯＳトランジスタのゲート電極とリセットドレイン信号線との間に接続されるとともに、リセットゲート信号線にゲート電極が接続されたリセット用ＭＯＳトランジスタとを有し」と限定するものである。
　
　(3)独立特許要件の判断
　当審の取消理由で引用した刊行物１である特開昭６３−１５１１８７号公報（異議申立人が提出した甲第１号証）には、次に掲げるもの（以下「刊行物１の発明」という。）が記載されている。
　【刊行物１（甲第１号証）の発明】
「光電変換素子が行及び列方向に配置された光電変換手段、複数行の光電変換素子の信号を一度蓄積容量ＣＴに蓄積し、交互に点順次信号に変換する点順次化手段を有する事を特徴とする固体撮像装置」（特許請求の範囲の項及び第４図を参照）
　
　同じく当審の取消理由で引用した刊行物２である特開昭６０−１２７６４号公報（異議申立人が提出した甲第４号証）には、次に掲げるもの（以下「刊行物２の発明」という。）が記載されている。
　【刊行物２（甲第４号証）の発明】
「入射光量に応じて蓄積された信号電荷を増幅して出力する増幅トランジスタを備えた光電変換装置」（第７図：基本光センサセル３０を参照）
　
　【対比判断】
　本件発明と上記刊行物１，２の発明とをそれぞれ対比すると、刊行物１，２の発明は、本件発明おける次に掲げる事項を備えていないし、刊行物１，２には、この事項を示唆する記載もなされていない。
「入射光量に応じて蓄積された信号電荷を貯えるストレージと、このストレージと共に１ビットのＣＣＤを構成する出力ゲート」
　そして、本件発明は、本件明細書に添付された第７図に示される従来例との対比において、結果的に、上記事項により、
　「ノンインターレス走査方式に対応可能で、しかも回路規模の縮小化を可能とすること」という目的を達成し、
　「回路規模を縮小化しつつノンインターレース走査方式に対応できるため、固体撮像装置を小型化できる」という効果、さらに、「ストレージ（ST）１が信号電荷で溢れた場合には、その信号電荷はST→OG→FD→RDへと横型オーバーフローにより捨てられることになる。このように、リセット用MOS?FET3のドレイン電極（RD）を水平ラインの選択に利用すると共に、オーバーフロードレインに共用することにより、水平ラインの選択素子及びオーバーフロードレインの構成を簡易化できる」という効果を奏するものである。
　したがって、本件発明は、上記刊行物１，２の発明に基いて容易に発明をすることができたものとは認められない。
　よって、本件発明は、特許出願の際独立して特許を受けることができないものとすることができない。
　
　(4)訂正の適否についての結論
　以上のとおり、上記訂正請求は、特許法第１２０条の４第３項で準用する同法第１２６条第２項ないし第４項の規定に適合するので、上記訂正が認められる。
　
　３　特許異議の申立の理由の概要
　特許異議申立人は、本件発明は、甲第１ないし５号証に記載された発明と同一ないしはそれらの発明に基いて容易に発明をすることができたものであるから、本件発明に係る特許は、特許法第２９条第１項、第２項の規定に違反してなされたもので、この特許は取り消すべきものである旨主張している。
　そこで、上記証拠を検討すると、甲第１，４号証（刊行物１，２）には、上記２(3)で判断したとおりのものが記載されている。
　また、甲第２，３，５号証には、特許異議申立人が主張するとおりの以下に掲げるものが記載されている。
　【甲第２号証（特開平１−２４５７６９号公報）の発明】
「垂直出力線毎に、クランプ回路を含むいわゆるＣＣＤ撮像装置等でよく用いている相関２重サンプリング（ＣＤＳ）回路を備えた光電変換装置」
　【甲第３号証（特開昭６２−１８５４７１号公報）の発明】
「垂直出力線毎のＣＤＳ回路１５によってノイズを除去された信号がスイッチを介して、コンデンサに蓄積される固体撮像素子」
　【甲第５号証（特開平１−１５４６７８号公報）の発明】
「光センサ部分に、ホトダイオード１と、垂直ゲートスイッチ２と、リセットスイッチ３と、画素アンプ２３とで構成され、水平方向２列のホトダイオード１を同時に走査する二行同時読み出しが可能な光センサ部分を備えた固体撮像装置」
　しかし、上記甲第２，３，５号証の発明は、上記２(3)【対比判断】の項で判断した本件発明における上記事項を備えていないし、また、上記甲第２，３，５号証には、本件発明における上記事項を示唆する記載もなされていない。
　
　４　むすび
　以上のとおり、本件発明は、刊行物１，２の発明（甲第１，４号証の発明）ないしは甲第２，３，５号証の発明に基いて当業者が容易に発明をすることができたものとは認められない。
　また、他に本件発明に係る特許を取り消すべき理由を発見しない。
　よって、結論のとおり決定する。
【異議決定日】
平成１２年８月３１日（２０００．８．３１）
【訂正の要旨】
　特許請求の範囲の請求項１に係る記載
「水平及び垂直方向にてマトリクス状に２次元配列された複数画素の各画素毎に設けられかつ入射光量に応じて蓄積された信号電荷を増幅して出力する増幅素子を有する受光部と、
　第１及び第２の信号保持手段と
　を具備する固体撮像装置の駆動方法であって、
　水平ブランキング期間において垂直方向の隣り合う２画素の各受光部の増幅出力を前記第１及び第２の信号保持手段にそれぞれ保持させ、
　前記第１及び第２の信号保持手投の各保持出力を順次読み出す
　ことを特徴とする固体撮像装置の駆動方法。」
を、
「水平及び垂直方向にてマトリクス状に２次元配列された複数
画素と
　第１及び第２の信号保持手段と
　を具備
し、前記複数画素の各々が、入社光量に応じて蓄積された信号電荷を貯えるストレージと、このストレージと共に１ビットのＣＣＤを構成する出力ゲートと、この出力ゲートを通して前記ストレージから出力される信号電荷を増幅して出力する増幅用ＭＯＳトランジスタと、この増幅用ＭＯＳトランジスタのゲート電極とリセットドレイン信号線との間に接続されるとともに、リセットゲート信号線にゲート電極が接続されたリセット用ＭＯＳトランジスタとを有してなる
　ニ）水平ブランキング期間において垂直方向の隣り合う２画素の各受光部の増幅出力を前記第１及び第２の信号保持手段にそれぞれ保持させ、
　ホ）前記第１及び第２の信号保持手投の各保持出力を順次読み出す
　ヘ）ことを特徴とする固体撮像装置の駆動方法。」
と訂正し、
　これに伴い、特許請求の範囲の記載と発明の詳細な説明の記載との整合をとるため、明細書の第２頁第４行目〜第１２行目の記載
「本発明は、ノンインターレース走査方式に対応可能な固体撮像装置において、水平及び垂直方向にてマトリクス状に２次元配列された複数画素の各画素毎に設けられた受光部が、入射光量に応じて蓄積された信号電荷を増幅する増幅素子を有することとし、水平ブランキング期間において垂直方向の隣り合う２画素の各増幅出力を各々保持し、これら保持出力を順次読み出す構成とすることにより、回路規模の縮小化を図り、固体撮像装置の小型化を可能としたものである。」
を、明りょうでない記載の釈明を目的として、
「本発明は、ノンインターレース走査方式に対応可能な固体撮像装置において、水平及び垂直方向にてマトリクス状に２次元配列された複数画素の
各々が、入射光量に応じて蓄積された信号電荷を貯えるストレージと、このストレージと共に１ビットのＣＣＤ（　Ｃｈａｒｇｅ　Ｃｏｕｐｌｅｄ　Ｄｅｖｉｃｅ）を構成する出力ゲートと、この出力ゲートを通してストレージから出力される信号電荷を増幅して出力する増幅ＭＯＳトランジスタと、この増幅用トランジスタのゲート電極とリセットドレイン信号線との間に接続されるとともに、リセットゲート信号線にゲート電極が接続されたリセット用ＭＯＳトランジスタと
と訂正し、
　同様に明細書第３頁第４３行目〜第４頁第１行目の記載
「本発明による固形撮像装置の駆動方法は、水平及び垂直方向にてマトリクス状に２次元配列された複数画素の各画素毎に設けられかつ入射光量に応じて蓄積された信号電荷を増幅する増幅素子を有する受光部と、第１及び第２の信号保持手段とを具備する固体撮像装置の駆動方法であって、水平ブランキング期間において垂直方向の隣り合う２画素の各受光部の増幅出力を第１及び第２の信号保持手段にそれぞれ保持させ、これら信号保持手段の各保持出力を順次読み出すようにしている。」
を、明りょうでない記載の釈明を目的として、
「本発明による固体撮像装置の駆動方法は、水平及び垂直方向にてマトリクス状に２次元配列された複数
画素と
し、複数画素の各々が、入射光量に応じて蓄積された信号電荷を貯えるストレージと、このストレージと共に１ビットのＣＣＤを構成する出力ゲートと、この出力ゲートを通してストレージから出力される信号電荷を増幅して出力する増幅用ＭＯＳトランジスタと、この増幅用ＭＯＳトランジスタのゲート電極とリセットドレイン信号線との間に接続されるととも、リセットゲート信号線にゲート電極が接続されたリセット用ＭＯＳトランジスタと有してなる
と訂正することを認める。
（５４）【発明の名称】
固体撮像装置の駆動方法
（５７）【特許請求の範囲】
　水平及び垂直方向にてマトリクス状に２次元配列された複数
画素と
し、前記複数画素の各々が、入射光量に応じて蓄積させた信号電荷を貯えるスレージと、このスレージと共に１ビットのＣＣＤを構成する出力ゲートと、この出力ゲートを通して前記ストレージから出力される信号電荷を増幅して出力する増幅用ＭＯＳトランジスタと、この増幅用ＭＯＳトランジスタのゲート電極とリセットドレイン信号線との間に接続されるとともに、リセットゲート信号線にゲート電極が接続されたリセット用ＭＯＳトランジスタとを有してなる
　水平ブランキング期間において垂直方向の隣り合う２画素の各受光部の増幅出力を前記第１及び第２の信号保持手段にそれぞれ保持させ、
　前記第１及び第２の信号保持手投の各保持出力を順次読み出す
　ことを特徴とする固体撮像装置の駆動方法。
【発明の詳細な説明】
　く産業上の利用分野＞
　本発明は、固体撮像装置の駆動方法に間し、特にノンインターレース走査方式に対応可能な固体撮像装置の駆動方法に関する。
　く発明の概要＞
　本発明は、ノンインターレース走査方式に対応可能な固体撮像装置において、水平及び垂直方向にてマトリクス状に２次元配列された複数画素の
各々が入射光量に応じて蓄積された信号電荷を貯えるストレージと、このストレージと共に１ビットのＣＣＤ（Ｃｈａｒｇｅ　Ｃｏｕｐｌｅｄ　Ｄｅｖｉｃｅ）を構成する出力ゲートと、この出力ゲートを通してストレージから出力される信号電荷を増幅して出力する増幅用ＭＯＳトランジスタと、この増幅用ＭＯＳトランジスタのゲート電極とのリセットドレイン信号線との間に接続されるとともに、リセットゲート信号線にゲート電極が接続されたリセット用ＭＯＳトランジスタと
　く従来の技術＞
　テレビジョン画面は、左上から右方向に順次走査する多数の走査線によって構成されており、標準のテレビジョン方式では、フリッカと称される画面のちらつきを少なくするために、１ラインおきに飛び越して走査するインターレース走査が行われている。
　このインターレース走査においては、始めの１／６０秒で１ラインおきに飛越し走査することによって１枚のフィールド（奇数フィールド）画面を形成し、次の１／６０秒では奇数フィールドでの走査ラインの間を埋める形で１ラインおきに飛越し走査することによって次のフィールド（偶数フィールド）画面を形成し、この奇数及び偶数のフィールド画面で１／３０秒毎に１枚の合成画面（フレーム画面）を完成するようになっている。
　このように、標準のテレビジョン方式がインターレース走査方式であることから、テレビカメラに使用される固体撮像装置においても、信号電荷の転送方式としてインターレース走査方式に対応した転送方式を採っている。
　しかしながら、インターレース走査方式よりもノンインターレース走査方式の方が、垂直解像度の向上を図る上で有利であり、しかも信号処理も簡単になるという利点もある。
　このノンインターレース走査方式に対応可能な固体撮像装置の従来例としては、第７図に示すように、入射光量に応じて感光部７０に蓄積された信号電荷を、１／３０秒周期で垂直ブランキング期間に、奇数ラインのものは奇数フィールド垂直転送部７１に、偶数ラインのものは偶数フィールド垂直転送部７２にそれぞれ同時に移し、これら垂直転送部７１，７２で垂直方向に転送した後垂直転送切替部７３によって交互に選択して水平転送部７４に送り、この水平転送部７４の最終端に設けられた出力部７５から１水平走査期間で直列に読み出して１フレーム分の映像信号として導出する構成のものが知られている（特開昭６４−４９３８２号公報参照）。
　＜発明が解決しようとする課題＞
　しかしながら、上述した従来の固体撮像装置では、感光部７０の１垂直列に対して垂直方向の転送部を２列づつ設けた構成となっているので、回路規模が大型化し、装置の小型化を図る上で妨げになるという問題点があった。
　そこで、本発明は、ノンインターレース走査方式に対応可能で、しかも回路規模の縮小化を可能とすることにより装置の小型化に寄与できる固体撮像装置の駆動方法を提供することを目的とする。
　く課題を解決するための手段＞
　本発明による固体撮像装置の駆動方法は、水平及び垂直方向にてマトリクス状に２次元配列された複数
画素と
し、複数画素の各々が、入射光量に応じて蓄積された信号電荷を貯えるストレージと、このストレージと共に１ビットのＣＣＤを構成する出力ゲートと、この出力ゲートを通してストレージから出力される信号電荷を増幅して出力する増幅用ＭＯＳトランジスタと、この増幅ＭＯＳトランジスのゲート電極とリセットドレイン信号線との間に接続されるとともに、リセットゲート信号線にゲート電極が接続されたリセット用ＭＯＳトランジスタと有してなる
　＜作用＞
　本発明による固体撮像装置の駆動方法では、水平ブランキング期間において垂直方向の隣り合う２画素の各受光部の増幅出力を各々保持し、これら保持出力を順次読み出すことにより、ノンインターレースのテレビジョン信号を得る。
　＜実施例＞
　以下、本発明の実施例を図面に基づいて詳細に説明する。
　第１図は、本発明による固体撮像装置の一実施例の要部のみを示す回路図である。この図では、説明の都合上、水平及び垂直方向においてマトリクス状に２次元配列された複数画素のうち、隣り合うｎ番目及びｎ＋１番目の２ラインの各１画素のみの回路構成を示しているが、残りの画素も全て同じ回路構成となっているものとする。
　図において、各画素に光が入射すると、その入射光量に応じた信号電荷がストレージ（ＳＴ）１に貯えられる。このストレージ１及びその出力ゲート（ＯＧ）スイッチ２により１ビットのＣＣＤ（Ｃｈａｒｇｅ　Ｃｏｕｐｌｅｄ　Ｄｅｖｉｃｅ）が構成されている。また、このＣＣＤと同一チップ上にリセット用ＭＯＳ−ＦＥＴ３とソースホロワの増幅用ＭＯＳ−ＦＥＴ４とが作られ、増幅用ＭＯＳ−ＦＥＴ４のゲートがフローティング・ディフュージョン（Ｆｌｏａｔｉｎｇ　Ｄｉｆｆｕｓｉｏｎ）に接続されてフローティング・ディフュージョン・アンプ（ＦＤＡ）５を構成している。
　このフローティング・ディフュージョン・アンプ５において、出力ゲートスイッチ２のゲート電極が出力ゲート（ＯＧ）信号線６に接続され、又リセット用ＭＯＳ−ＦＥＴ３のゲート電極がリセットゲート（ＲＧ）信号線７ａに、リセット電極がリセットドレイン（ＲＤ）信号線７ｂにそれぞれ接続されている。そして、垂直走査シフトレジスタ８から、出力ゲートスイッチ２のゲート電極に出力ゲートパルスφＯＧが、またリセット用ＭＯＳ−ＦＥＴ３のゲート電極にリセットゲートパルスφＲＧが、ドレイン電極にリセットドレインパルスφＲＤがそれぞれ印加されることにより水平ラインの選択を行うようになっている。また、増幅用ＭＯＳ−ＦＥＴ４のドレイン電極には電源電圧ＶＤＤが印加され、そのソース電極が出力端Ｖ　ｏｕｔ　Ｖｏｕｔとして垂直信号線９に接続されている。そして、１の水平ラインが選択されると、その選択された水平ラインの画素の信号電荷が増幅用ＭＯＳ−ＦＥＴ４によって増幅されて垂直信号線９に出力される。
　垂直信号線９には転送ゲートスイッチ１０を介して負荷トランジスタ１１が接続されており、垂直信号線９に出力された各画素の増幅出力はノイズ除去用コンデンサＣ０に貯えられる。このコンデンサＣ０の出力端にはクランプスイッチ１２が接続されており、クランプスイッチ１２がそのゲート電極にクランプパルスφｃｌφｃｌが印加されることによってオン状態となることにより、コンデンサＣ０の出力端の電位がクランプレベルＶｃｌｐＶｃｌｐにクランプされる。このノイズ除去用コンデンサＣｏ及びクランプスイッチ１２により、増幅用ＭＯＳ−ＦＥＴ４のソース出力に含まれるリセット雑音等の雑音を低減するためのＣＤＳ（相関二重サンプリング）回路１５が構成されている。
　ノイズ除去用コンデンサＣ０の出力は、バッファアンプ１３を経た後切替えスイッチ１４によって第１，第２の信号保持手段であるサンプル／ホールド用コンデンサＣ１，Ｃ２に択一的に供給され、これらコンデンサＣ１，Ｃ２によってサンプル／ホールドされる。切替えスイッチ１４の切替え制御は、水平ブランキング期間において発生されるサンプル／ホールドパルスφＳＨによって１ライン毎に行われる。これにより、例えば、偶数ラインの画素出力がコンデンサＣ１に、奇数ラインの画素出力がコンデンサＣ２にそれぞれホールドされることになる。　コンデンサＣ１，Ｃ２のホールド出力は、バッファアンプ１６−１，１６−２を経た後水平ゲートスイッチ１７−１，１７−２によるスイッチングによって水平信号線１８−１，１８−２に導出される。水平ゲートスイッチ１６−１，１６−２のスイッチング制御は、水平走査シフトレジスタ１９から出力される水平シフトパルスφＨによって行われる。
　かかる構成の本発明による固体撮像装置の断面構造を第２図に示す。なお、第２図は、１ユニットセルにおけるＳＴ−ＯＧ−ＲＧ−ＲＤ…ＦＥＴ４のドレイン電極（ＶＤＤ）−ゲート電極−ソース電極（Ｖｏｕｔ）の断面図である。同図から明らかなように、本発明による固体撮像装置は、薄いシリコン基板２０の表面上にフローティング・ディフュージョン・アンプ（ＦＤＡ）を構成する電極素子群を配し、その上にさらにＣＶＤ（Ｃｈｅｍｉｃａｌ　Ｖａｐｏｒ　Ｄｅｐｏｓｉｔｉｏｎ）等の方法によりＳｉＯ２膜２１を堆積させる一方、シリコン基板２０の裏面に配されたＳｉＯ２膜２２上に第４図に示す如くＸＹマトリクス状にパターン配線された水平アルミ線２３及び垂直アルミ線２４にリセットドレイン（ＲＤ）及び増幅用ＭＯＳ−ＦＥＴ４の出力端（Ｖｏｕｔ）をそれぞれ接続し、シリコン基板２０の裏面側から照射光を取り込むいわゆる裏面照射型構造となっている。
　このように、固体撮像装置の構造を裏面照射型とすることにより、シリコン基板２０の裏面側には水平アルミ線２３及び垂直アルミ線２４がパターン配線されているのみであるため、間口率を飛躍的に向上できることになる。
　続いて、本発明による固体撮像装置において、垂直走査シフトレジスタ８及び水平走査シフトレジスタ１９によって選択された１画素につき、第２図のセル断面図及び第３図のポテンシャル分布図を参照しつつ第５図のタイムチャートに従ってその動作を説明する。
　先ず、水平ブランキング期間において、第３図に示すように、垂直方向において選択するｎ番目の水平ラインのＲＤ（リセットドレイン）に対してのみ、時点ｔ１でリセットドレインパルスφＲＤによる高レベル（例えば、５Ｖ）のリセット電圧ＶＲＤを印加し、残りの水平ラインのＲＤには低レベル（例えば、１．５Ｖ）の電圧を印加することにより、ライン選択を行う。このとき、選択された水平ラインの画素のＦＤをリセットゲートパルスφＲＧでリセットすれば、ＦＤの電位が高レベルとなり、これにより増幅用ＭＯＳ−ＦＥＴ４のゲート電位も高レベルとなる。一方、選択されなかった水平ラインの画素においては、そのＦＤ電位を低レベルに保持することにより、増幅用ＭＯＳ−ＦＥＴ４はそのゲート電位が第３図に点線で示す如くＦＤ電位よりスレッショールドレベルＶｔｈ分だけ低レベル（例えば、０．５Ｖ）となり、カットオフ状態になる。
　次に、時点ｔ２でリセットゲートパルスφＲＧが低レベルに遷移することにより、リセット用ＭＯＳ−ＦＥＴ３がカットオフ状態となる。この状態では、クランプパルスφｃｌによりクランプスイッチ１２がオンとなってコンデンサＣの出力端をクランプレベルＶｃｌｐに固定している。そして、時点ｔ３でクランプパルスφｃｌが消滅することにより、クランプスイッチ１２がオフとなる。
　このＣＤＳ回路１５におけるコンデンサＣ０及びクランプスイッチ１２の作用により、キズを含む固定パターン雑音（ＦＰＮ）、ソースホロワの入力オフセットばらつきに起因するＶｔｈムラやソースホロワの低周波（１／ｆ）雑音及びＦＤＡのリセット時に発生するリセット雑音、さらには信号線やＣＣＤへの光の混入に起因するスミアをキャンセルできることになる。これにより、固体撮像装置の出力信号の信号処理系において従来用いられていたＦＰＮ除去用のフレームメモリが不要となる。
　続いて、出力ゲートパルスφＯＧにより時点ｔ４で出力ゲート（ＯＧ）２をオン状態とすることにより、ストレージ（ＳＴ）１に貯えられた信号電荷をＦＤへ転送し、出力ゲートパルスφＯＧが消滅する時点ｔ５までの間に全ての信号電荷をＦＤに移す。しかる後、サンプル／ホールドパルスφＳＨにより時点ｔ６で切替えスイッチ１４をサンプル／ホールド用コンデンサＣ１側に切り替えて信号電圧をコンデンサＣ１に入力し、サンプル／ホールドパルスφＳＨが消滅する時点ｔ７で切替えスイッチ１４をオフ状態（図の中立位置）としてコンデンサＣ１の信号電圧をホールドする。
　上述した動作タイミングによってｎ番目の水平ラインの信号電荷を増幅用ＭＯＳ−ＦＥＴ４で増幅し、ＣＤＳ回路１５のコンデンサＣ１に貯えたなら、続けて同様の動作タイミングによってｎ＋１番目の水平ラインの信号電荷を増幅用ＭＯＳ−ＦＥＴ４で増幅し、ＣＤＳ回路１５のコンデンサＣ２に貯える。これにより、水平走査シフトレジスタ１９から発せられる水平シフトパルスφＨによる水平ゲートスイッチ１７−１，１７−２のスイッチング制御によって垂直方向の隣り合う２画素の信号を水平走査有効期間に独立に読み出すことができることになる。なお、水平走査有効期間では、リセットゲート（ＲＧ）を高レベル、リセットドレイン（ＲＤ）を低レベル（約１．５Ｖ）にする。
　この読出しの際に、コンデンサＣ１，Ｃ２の各ホールド出力を順次に読み出すことにより、ノンインターレースのテレビジョン信号を得ることができることになる。また、コンデンサＣ１，Ｃ２の各ホールド出力を同時に読み出すようにしても良く、この場合には、読み出した信号を図示せぬ信号処理系で適当に処理することにより、順次読出しの場合と同様に、ノンインターレースのテレビジョン信号を得ることができることになる。
　ストレージ（ＳＴ）１が信号電荷で溢れた場合には、その信号電荷はＳＴ→ＯＧ→ＦＤ→ＲＤへと横型オーバーフローにより捨てられることになる。このように、リセット用ＭＯＳ−ＦＥＴ３のドレイン電極（ＲＤ）を水平ラインの選択に利用すると共に、オーバーフロードレインに共用することにより、水平ラインの選択素子及びオーバーフロードレインの構成を簡易化できる。
　なお、上記実施例では、サンプル／ホールド用コンデンサＣ１，Ｃ２の各ホールド出力を読み流す出力系を２系統とした場合について説明したが、第６図に示すように、当該出力系を１系統としてコンデンサＣ１，Ｃ２の各ホールド出力を交互に順次読み出すように構成することも可能である。この場合、切替えスイッチ１４の切替え制御を上記実施例の場合の２倍の速度で行うことが必要となる。
　＜発明の効果＞
　以上説明したように、本発明によれば、水平ブランキング期間において垂直方向の隣り合う２画素の各受光部の増幅出力を各々保持し、これら保持出力を順次読み出す構成とすることにより、回路規模を縮小化しつつノンインターレース走査方式に対応できるため、固体撮像装置を小型化できる効果がある．
　また、高品位ＴＶとして今後期待されるＥＤＴＶがノンインターレース走査方式を採っており、このＥＤＴＶに適用する場合でも、本発明による固体撮像装置においては、ノンインターレースのテレビジョン信号が得られるため、信号処理を簡単に行える効果もある。
【図面の簡単な説明】
　第１図は、本発明による固体撮像装置の一実施例の要部のみを示す回路図、
　第２図は、１ユニットセルの構造を示す断面構造図、
　第３図は、第２図に対応して示したポテンシャル分布図、
　第４図は、本発明による固体撮像装置の一部を示す裏面図、
　第５図は、第１図の回路動作を説明するためのタイムチャート、
　第６図は、本発明の他の実施例を示す回路図、
　第７図は、従来例の構成図である。
　１…ストレージ（ＳＴ），２…出力ゲート（ＯＧ），３…リセット用ＭＯＳ−ＦＥＴ，４…増幅用ＭＯＳ−ＦＥＴ，５…ＦＤＡ（フローティング・ディフュージョン・アンプ），１２…クランプスイッチ，１５…ＣＤＳ（相関二重サンプルホールド）回路，Ｃ１，Ｃ２…サンプル／ホールド用コンデンサ